(57)【要約】      （修正有）【課題】納骨スペースを十分に有効利用することができる骨壺を提供する。【解決手段】上面に開口部が形成された直方体の壺本体２と、平面視における形状が壺本体２と略同一形状であり開口部を閉止する蓋３とを備える。骨壺１全体が略直方体となっているので、納骨スペースに隙間なく骨壺１を配置でき、より多くの骨壺１を納骨スペースに納めることができる。さらに、骨壺１は上下に積み重ねることも可能となっており、納骨スペースの高さ方向の空間についても有効利用することができ、さらに多くの骨壺１を納骨スペースに納めることができる。【選択図】図５
0003157838.tif 000002
【実用新案登録請求の範囲】
【請求項１】
お骨を収納する骨壺であって、
上面が開放した直方体の壺本体と、
平面視における形状が前記壺本体と略同一形状であり前記上面を閉止する蓋とを備えることを特徴とする骨壺。
【請求項２】
請求項１に記載する骨壺において、
前記壺本体の下面には下方に突出する脚部が設けられ、
前記蓋の上面には、前記脚部が収納される凹部が設けられている
ことを特徴とする骨壺。
【請求項３】
請求項１に記載する骨壺において、
前記蓋の上面には上方に突出する突部が設けられ、
前記壺本体の下面には、前記突部が収納される凹部が設けられている
ことを特徴とする骨壺。
【考案の詳細な説明】
【技術分野】
【０００１】
本考案は、骨壺に関し、特に、納骨スペースに複数の骨壺を保管する場合に適用して有用なものである。
【背景技術】
【０００２】
お墓、納骨堂、納骨檀等には、骨壺を納める納骨スペースが設けられている。当初においては、納骨スペースに骨壺を納める空間的余裕があっても、人が亡くなるたびに納められる骨壺が増え、次第に納骨スペースに骨壺を納められなくなるという問題が生じる。特に、都市部のお墓等は納骨スペースが狭く、また、納骨スペース自体を大きくすることも容易ではないので、そのような問題が顕著になる。
【０００３】
一方、従来の骨壺としては、略円筒状に形成されたものが使用されている（例えば、特許文献１、２参照。）。このような骨壺を納骨スペースに複数個納める場合、骨壺同士を隣接させてもなお隙間が生じるので、納骨スペースの空間を十分に利用できているとは言えないのが現状である。
【先行技術文献】
【特許文献】
【０００４】
【特許文献１】特開２００９−２０７６３５号公報
【特許文献２】特開平８−１０２９３号公報
【考案の概要】
【考案が解決しようとする課題】
【０００５】
本考案は、このような事情に鑑み、納骨スペースを十分に有効利用することができる骨壺を提供することを目的とする。
【課題を解決するための手段】
【０００６】
上記目的を達成するための本考案の第１の態様は、お骨を収納する骨壺であって、上面が開放した直方体の壺本体と、平面視における形状が前記壺本体と略同一形状であり前記上面を閉止する蓋とを備えることを特徴とする骨壺にある。
【０００７】
かかる第１の態様では、骨壺全体が略直方体になっているので、横並びに隣接配置された骨壺同士の間、もしくは上下に積み重ねた骨壺同士の間に隙間が生じない。これにより、納骨スペースに隙間なく骨壺を配置することが可能となり、より多くの骨壺を納骨スペースに納めることができる。
【０００８】
本考案の第２の態様は、第１の態様に記載する骨壺において、前記壺本体の下面には下方に突出する脚部が設けられ、前記蓋の上面には、前記脚部が収納される凹部が設けられていることを特徴とする骨壺にある。
【０００９】
本考案の第３の態様は、第１の態様に記載する骨壺において、前記蓋の上面には上方に突出する突部が設けられ、前記壺本体の下面には、前記突部が収納される凹部が設けられていることを特徴とする骨壺にある。
【００１０】
かかる第２及び第３の態様では、骨壺を安定的に上下に積み重ねることができる。水平方向に加わる力により上側の骨壺が水平方向に移動しようとしても、上側の骨壺の脚部は下側の骨壺の凹部によりその移動が規制されるため、上側の骨壺が下側の骨壺から滑り落ちることが抑制されるからである。
【考案の効果】
【００１１】
本考案によれば、納骨スペースを十分に有効利用することができる骨壺が提供される。
【図面の簡単な説明】
【００１２】
【図１】本考案の実施形態に係る骨壺の正面図である。
【図２】本考案の実施形態に係る骨壺の上面図である。
【図３】本考案の実施形態に係る骨壺の底面図である。
【図４】図１のＡ−Ａ線断面図である。
【図５】上下に二つ重ねた骨壺の正面図である。
【図６】骨壺が納められた納骨スペースを有するお墓の断面図である。
【図７】骨壺が納められた納骨スペースの概略斜視図である。
【考案を実施するための形態】
【００１３】
図１〜図４に基づいて本考案の実施形態に係る骨壺を説明する。これらの図に示すように、骨壺１は、壺本体２と蓋３とから構成されている。
【００１４】
壺本体２は、略直方体の形状を有し、上面に開口部４が設けられ、開口部４を介して内部の中空部５にお骨が納められるように形成されている。蓋３は、開口部４を閉止するものであり、壺本体２に対して着脱可能になっている。蓋３の形状は、平面視（図２参照）における形状が壺本体２と略同一、すなわち略四角形の形状となっている。
【００１５】
壺本体２の開口部４を蓋３で閉じたとき、骨壺１全体の形状は略直方体となる。したがって、詳細は後述するが、隣接配置された骨壺１同士の間に隙間が生じない。このため、納骨スペースの空間を十分に有効利用して、より多くの骨壺１を納骨スペースに納めることができる。
【００１６】
また、壺本体２の下面には、下方に突出する脚部６が設けられている。具体的には、脚部６は壺本体２の下面の中央部を囲うように土手状に形成されている。一方、蓋３の上面には、凹部７が設けられている。この凹部７は、深さが脚部６の高さとほぼ同一に形成されており、凹部７の開口部４の形状は、脚部６の外形が収まるように形成されている。なお、壺本体２の下面における脚部６の外側の領域を被載置部８と称し、蓋３の上面における凹部７の外側の領域を載置部９と称する。
【００１７】
このような形状の脚部６及び凹部７が設けられていることにより、骨壺１同士を安定して上下に重ねることができる。このことを図５に基づいて詳細に説明する。図示するように、本実施形態に係る２つの骨壺１Ａ、１Ｂが積み重ねられている。具体的には、骨壺１Ｂの下面の被載置部８が骨壺１Ａの上面の載置部９に載置され、また骨壺１Ｂの脚部６が骨壺１Ａの凹部７の底部に載置されている。
【００１８】
水平方向に加わる力により骨壺１Ｂが水平方向に移動しようとしても、骨壺１Ｂの脚部６は骨壺１Ａの凹部７によりその移動が規制されるため、骨壺１Ｂが骨壺１Ａから滑り落ちることが抑制され、安定的に骨壺１Ａの上に骨壺１Ｂを積み重ねることができる。
【００１９】
図６及び図７に基づいて、お墓のカロート等の納骨スペースにより多くの骨壺１が納められることを説明する。これらの図に示すように、お墓は、上から順に、石柱１０、上台１１、中台１２、蓋石１３、納骨室１４、根太石１５が積み重なって構成されている。納骨室１４の内部の納骨スペース１６には、骨壺１を載置する骨壺載置台１７が配置されている。
【００２０】
骨壺載置台１７の上には、骨壺１が水平方向に隣接して配置されている。上述したように、骨壺１全体は略直方体であるので、骨壺１同士を隙間なく隣接配置することができる。また、骨壺載置台１７の下側には、骨壺１が上下に積み重なって配置されている。このように骨壺１は上下に積み重ねることができるので、納骨スペース１６の高さ方向の空間を有効利用することができる。
【００２１】
このように、隙間なく骨壺１を配置することができ、また、高さ方向の空間を有効利用できるので、納骨スペース１６の限られた空間を十分に利用することができる。すなわち、より多くの骨壺１を納骨スペース１６に納めることができる。
【００２２】
なお、上述の実施形態は本考案の好適な実施の一例ではあるがこれに限定されるものではなく、本考案の要旨を逸脱しない範囲において種々変形して実施することが可能である。例えば、蓋の上面に上方に突出する突部を設け、壺本体の下面に突部が収納される凹部を設けてもよい。この場合においても、凹部に収納された突部が、上側に積み重ねられた骨壺の水平移動を規制するので、骨壺同士を安定的に積み重ねることができる。また、骨壺の持ち運びを容易にするために、壺本体の側面等に取手や溝を設けてもよい。
【産業上の利用可能性】
【００２３】
本考案は、骨壺を使用する産業分野で利用することができる。
【符号の説明】
【００２４】
１、１Ａ、１Ｂ  骨壺
２              壺本体
３              蓋
４              開口部
５              中空部
６              脚部
７              凹部
８              被載置部
９              載置部
１０            石柱
１１            上台
１２            中台
１３            蓋石
１４            納骨室
１５            根太石
１６            納骨スペース
１７            骨壺載置台
【図１】
0003157838.tif 000003
【図２】
0003157838.tif 000004
【図３】
0003157838.tif 000005
【図４】
0003157838.tif 000006
【図５】
0003157838.tif 000007
【図６】
0003157838.tif 000008
【図７】
0003157838.tif 000009